(57)【要約】【課題】従来のコンデンサホルダーは、過電圧によりアルミ電解コンデンサの防爆弁が開き電解液およびその蒸気が発生したときに、他の部品より火花が発生すると回路基板または他の部品に付着した電解液に引火するおそれがある。この引火を防ぐ構造のコンデンサホルダーを提供する。【解決手段】コンデンサホルダー１は、コンデンサホルダーの穴（通気口）４を備え、回路基板３の端にコンデンサホルダー１を横向きにした状態で設置し、コンデンサホルダーの穴（通気口）４を回路基板３の外に向けることにより、アルミ電解コンデンサ２の電解液およびその蒸気が回路基板３の外部に放出されるので回路基板３または他の部品より火花が発生しても引火しないようになる。【選択図】図１
2014003193.tif 000002
【特許請求の範囲】
【請求項１】
内部形状において内部天面部と内部側面部を有するコンデンサホルダーであり、このコンデンサホルダーに収納されるコンデンサと内部天面部には隙間があり、前記コンデンサと内部側面部は前記内部天面部の隙間との通気ができないように密着しており、また、前記内部天面部から前記コンデンサホルダーの外部天面部まで通気用の穴を有し、
前記コンデンサホルダーは前記コンデンサをこのコンデンサを実装している回路基板に対しこのコンデンサの側面が前記回路基板と水平になり、また、前記外部天面部が前記回路基板の端部に位置するように前記コンデンサホルダーは取り付けられ、このコンデンサホルダーはこのコンデンサホルダーの外部側面部に複数の回路基板取り付け端子を備え、この回路基板取り付け端子によって前記回路基板に取り付けられることを特徴としたコンデンサホルダー。
【請求項２】
内部形状において内部天面部と内部側面部を有するコンデンサホルダーであり、このコンデンサホルダーに収納されるコンデンサと内部天面部には隙間があり、前記コンデンサと内部側面部は前記内部天面部の隙間との通気ができないように密着しており、また、前記内部天面部から前記コンデンサホルダーの外部天面部まで通気用の穴を有し、
前記外部天面部の通気用の穴にはストロー状の管を備え、前記コンデンサが実装された回路基板の外に前記管の吐き出し口がつながっていることを特徴としたコンデンサホルダー。
【請求項３】
前記コンデンサホルダーは内部形状と外部形状をなす全体構造が樹脂により一体成型された請求項１または請求項２に記載のコンデンサホルダー。
【請求項４】
前記回路基板の外ケースまたは放熱器を備え、前記管が前記外ケースの通気用の穴または前記放熱器の通気口の穴を通り、前記回路基板に対し前記外ケースまたは前記放熱器の外側に向けて前記吐き出し口がつながっていることを特徴とした請求項２に記載のコンデンサホルダーを搭載した回路基板ユニット。
【発明の詳細な説明】
【技術分野】
【０００１】
本発明は、コンデンサホルダーに関する。
【背景技術】
【０００２】
従来、この種のコンデンサホルダーはアルミ電解コンデンサの天面から炎が発生した際に、炎が防火ケース内を酸欠にし、消火作用をおこすためのオーバーラップを設けている（例えば、特許文献１参照）。
【先行技術文献】
【特許文献】
【０００３】
【特許文献１】特開平８−１３８９６５号公報
【発明の概要】
【発明が解決しようとする課題】
【０００４】
しかしながら、前記従来の構成では、電解液およびその蒸気がアルミ電解コンデンサとコンデンサホルダーの間を通って回路基板に付着するので、回路基板上の他の部品が火花を発した場合に電解液が燃えて火災のおそれがあるという課題を有していた。
【０００５】
本発明は、前記従来の課題を解決するもので、電解液とその蒸気が回路基板に付着しない（回路基板上の他の部品が火花を発しても電解液に発火しない）構造としたコンデンサホルダーを提供することを目的とする。
【課題を解決するための手段】
【０００６】
前記従来の課題を解決するために、本発明のコンデンサホルダーは、アルミ電解コンデンサ天井面に穴を開け（消火作用が働く範囲）又はストロー状の通気口を設け、回路基板が覆われるケース、放熱器等より電解液とその蒸気を外に排出する構造としたものである。これによって、回路基板上の他の部品に電解液が掛からない構造となる。
【発明の効果】
【０００７】
本発明のコンデンサホルダーは、電解液およびその蒸気を回路基板の外部へ排出することができる。
【図面の簡単な説明】
【０００８】
【図１】本発明の実施の形態１におけるコンデンサホルダーの構成図
【図２】本発明の実施の形態２におけるコンデンサホルダーの構成図
【発明を実施するための形態】
【０００９】
第１の発明は、アルミ電解コンデンサの電解液およびその蒸気を通す穴（通気口）を備えたコンデンサホルダーとすることにより、電解液およびその蒸気が穴（通気口）を通ってコンデンサホルダーの外に排出され、回路基板および他の部品に電解液が付着しなくなり、回路基板および他の部品が火花（火種）をだしても電解液に引火しないようにすることができる。
【００１０】
第２の発明は、特に、第１の発明のコンデンサホルダーを、アルミ電解コンデンサの電解液およびその蒸気を通すストロー状の穴（通気口）を備えたコンデンサホルダーとする
ことにより、アルミ電解コンデンサが回路基板端以外や距離がある場合に電解液およびその蒸気が通る経路として有効となり電解液およびその蒸気を回路基板外に排出することができる。
【００１１】
第３の発明は、特に、第１または第２の発明のコンデンサホルダーを、全体構造が樹脂とすることにより、このコンデンサホルダーによる導電を防止することができる。
第４の発明は、第２の発明のコンデンサホルダーを、外ケース、放熱器等がある場合、請求項３の穴（通気口）が外ケース、放熱器等の穴（通気口）より外部へ放出できる構造とすることにより、ケース内部にあっても電解液およびその蒸気が通る経路として有効となり電解液およびその蒸気を回路基板外に排出することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態におけるコンデンサホルダーの構成図を示すものである。
【００１４】
図１において、コンデンサホルダー１はアルミ電解コンデンサ２を被い、コンデンサホルダー１が回路基板３に設置されるための複数個の端子があり、コンデンサホルダー１は横向きになった状態で回路基板３の端に、コンデンサホルダー１の天面部を回路基板３の外に向けた状態で、半田付け等で固定できる構成となっている。コンデンサホルダー１の天面部はコンデンサホルダーの穴（通気口）を設けた構成をしている。なお、外ケースがある場合は、外ケースのスリット又は穴等の位置を合わせることで構成できる。外ケースの外に電解液受けも構成できる。
【００１５】
以上のように構成されたコンデンサホルダーについて、以下その動作、作用を説明する。
【００１６】
まず、過電圧によりアルミ電解コンデンサの防爆弁が開き、電解液およびその蒸気がアルミ電解コンデンサ外に放出される。コンデンサホルダー１があるため、そのまま、電解液およびその蒸気が回路基板３に付着せず、コンデンサホルダーの穴（通気口）４を通って回路基板３の外に放出できる。なお、外ケースがある場合は、外ケースのスリット又は穴等を通ってケース外に放出できる。なお、ケース外に電解液が垂れてはまずい場合は、電解液受けを設けて垂れないようにもできるようになる。
【００１７】
以上のように、本実施の形態においてはコンデンサホルダーに穴（通気口）を設けて回路基板外に出す構成とすることにより、電解液およびその蒸気を回路基板３または他の部品に付着しなくなり、回路基板３または他の部品より火花が発生しても引火を予防することができる。
【００１８】
また、本実施の形態では、外ケースに電解液受けを設けた構成としたことにより、電解液が外ケースより垂れや散乱することを防ぐこととなり、電解液を集めて、垂れない、散乱しないようにすることもできる。
【００１９】
なお、本実施の形態のコンデンサホルダーを複数個分、合わせることにより、特に、アルミ電解コンデンサが複数個密集した構成の場合、アルミ電解コンデンサの回路基板への配置スペースの削減となり、高密度の配置をすることができる。
【００２０】
（実施の形態２）
図２は、本発明の第２の実施の形態におけるコンデンサホルダーの構成図を示すものである。
【００２１】
図２において、コンデンサホルダー８はアルミ電解コンデンサ９を被い（回路基板１０にはんだ付け等で固定してもよい）、コンデンサホルダー８にはコンデンサホルダーの穴（通気口）を設けた構成をしている。なお、コンデンサの向きに応じて横型も構成できる。なお、外ケース６がある場合も外ケース６のスリット又は穴等の位置を合わせることで構成できる。外ケース６の外に電解液受けも構成できる。
【００２２】
以上のように構成されたコンデンサホルダーについて、以下その動作、作用を説明する。
【００２３】
まず、過電圧によりアルミ電解コンデンサの防爆弁が開き、電解液およびその蒸気がアルミ電解コンデンサ外に放出される。コンデンサホルダーがあるため、そのまま、電解液およびその蒸気が回路基板に付着せず、コンデンサホルダーの穴（通気口）５を通って回路基板外に放出できる。なお、通気口は傾斜も持たすこともできる。なお、外ケース６または放熱器７がある場合は、外ケース６または放熱器７のスリット又は穴等を通ってケース外に放出できる。なお、ケース外に電解液が垂れてはまずい場合は、電解液受けを設けて垂れないようにもできるようになる。
【００２４】
以上のように、本実施の形態においてはコンデンサホルダー８に穴（通気口）を設けて回路基板外に出す構成とすることにより、電解液およびその蒸気を回路基板または他の部品に付着しなくなり、回路基板または他の部品より火花が発生しても引火を予防することができる。
【００２５】
また他の、本実施の形態では、外ケース６に電解液受けを設けた構成としたことにより、電解液が外ケース６より垂れや散乱することを防ぐこととなり、電解液を集めて、垂れない、散乱しないようにすることもできる。
【００２６】
また、本実施の形態のコンデンサホルダーを複数個分、合わせることにより、特に、アルミ電解コンデンサが複数個密集した構成の場合、アルミ電解コンデンサの回路基板への配置スペースの削減となり、高密度の配置をすることができる。
【産業上の利用可能性】
【００２７】
以上のように、本発明にかかるコンデンサホルダーは、過電圧時にアルミ電解コンデンサの防爆弁が開いて電解液およびその蒸気が発生したときに回路基板または他の部品より火花が発生しても引火防止が可能となるので、アルミ電解コンデンサを使用する機器（電源回路を使用する分野）等の用途にも適用できる。
【符号の説明】
【００２８】
１、８  コンデンサホルダー
２、９  アルミ電解コンデンサ
３、１０  回路基板
４、５  コンデンサホルダーの穴（通気口）
６  外ケース
７  放熱器
【図１】
2014003193.tif 000003
【図２】
2014003193.tif 000004